(57)【要約】      （修正有）【解決手段】相対する高部土手部１ａと相対する低部土手部１ｂとを有するパレット部材１と、相対する高部土手部に配置される引き抜き可能な側壁部材と、相対する低部土手部にヒンジ連結された側壁部材とからなるボックスパレットにおいて、側部桁１ｄのフォーク挿入口１ｆ側に位置する長辺側壁１ｄ１と短辺側壁１ｄ２とにより形成される角部付近に，平面形状が、略Ｌ字状の補強台座部を形成した。【効果】側部桁のフォーク挿入口側に位置する端部部分の強度や剛性を高めることができ、端部部分に、フォークの先端部が当接した際の側部桁の損傷を防止する。【選択図】図２
2014169099.tif 000002
【特許請求の範囲】
【請求項１】
相対する高部土手部と相対する低部土手部とを有するパレット部材と、相対する高部土手部に配置される引き抜き可能な側壁部材と、相対する低部土手部にヒンジ連結された側壁部材とからなるボックスパレットにおいて、側部桁のフォーク挿入口側に位置する長辺側壁と短辺側壁とにより形成される角部付近に，平面形状が、略Ｌ字状の補強台座部を形成したことを特徴とするボックスパレット。
【請求項２】
補強台座部を構成する三角形状部分の中央部付近に位置する、短辺側壁に平行なリブを、長辺側壁に平行な補強リブにより連結したことを特徴とする請求項１に記載のボックスパレット。
【発明の詳細な説明】
【技術分野】
【０００１】
本発明は、相対する高部土手部、相対する低部土手部及びフォーク挿入口が形成されているパレット部材と、相対する高部土手部に上方に引き抜き可能な側壁部材と、相対する低部土手部にヒンジ連結された側壁部材とからなり、高部土手部に、略垂直に立てられた状態の側壁部材を、上方に引き抜き、次いで、低部土手部にヒンジ連結された略垂直な側壁部材を、パレット部材に重なるように倒し、その後、パレット部材に重なるように倒された側壁部材を覆うように、引き抜かれた側壁部材を重ねるように構成されたボックスパレットに関するものである。
【背景技術】
【０００２】
上述した構成を有するボックスパレットは、一例として、特許文献１に開示されている。
【先行技術文献】
【特許文献】
【０００３】
【特許文献１】特開２０１２−１９２９３８号公報
【発明の概要】
【発明が解決しようとする課題】
【０００４】
パレット部材のフォーク挿入口へフォークを挿入する際には、作業員は、高い位置にある運転席からフォーク挿入口の位置を確認することになる。このフォーク挿入作業の際に、作業員は、中央部に位置する桁（中央桁や中間桁）は、運転席から、容易に視認することができるが、側部に位置する桁（側部桁や隅桁）は、視認し難いために、側部に位置する桁に、フォークの先端部が当接し、側部に位置する桁が損傷するという問題があった。
【０００５】
本発明の目的は、上述した従来のボックスパレットが有する課題を解決することにある。
【課題を解決するための手段】
【０００６】
本発明は、上述した目的を達成するために、相対する高部土手部と相対する低部土手部とを有するパレット部材と、相対する高部土手部に配置される引き抜き可能な側壁部材と、相対する低部土手部にヒンジ連結された側壁部材とからなるボックスパレットにおいて、第１には、側部桁のフォーク挿入口側に位置する長辺側壁と短辺側壁とにより形成される角部付近に，平面形状が、略Ｌ字状の補強台座部を形成したものであり、第２には、補強台座部を構成する三角形状部分の中央部付近に位置する、短辺側壁に平行なリブを、長辺側壁に平行な補強リブにより連結したものである。
【発明の効果】
【０００７】
相対する高部土手部と相対する低部土手部とを有するパレット部材と、相対する高部土手部に配置される引き抜き可能な側壁部材と、相対する低部土手部にヒンジ連結された側壁部材とからなるボックスパレットにおいて、側部桁のフォーク挿入口側に位置する長辺側壁と短辺側壁とにより形成される角部付近に，平面形状が、略Ｌ字状の補強台座部を形成したので、側部桁のフォーク挿入口側に位置する端部部分の強度や剛性を高めることができ、この端部部分に、フォークの先端部が当接した際の側部桁の損傷を防止することができる。
【０００８】
補強台座部を構成する三角形状部分の中央部付近に位置する、短辺側壁に平行なリブを、長辺側壁に平行な補強リブにより連結したので、側部桁のフォーク挿入口側に位置する端部部分の強度や剛性を、より更に高めることができ、この端部部分に、フォークの先端部が当接した際の側部桁の損傷を、より更に防止することができる。
【図面の簡単な説明】
【０００９】
【図１】図１は、本発明のボックスパレットの斜視図である。
【図２】図２は、本発明のボックスパレットを構成するパレット部材の斜視図である。
【図３】図３は、本発明のボックスパレットが折り畳まれた状態の斜視図である。
【図４】図４は、本発明のボックスパレットを構成するパレット部材の部分拡大斜視図である。
【図５】図５は、本発明のボックスパレットの側部桁の一部断面図を含む部分拡大斜視図である。
【実施例】
【００１０】
以下に、本発明の実施例について説明するが、本発明の趣旨を越えない限り、何ら、本発明の実施例に限定されるものではない。
【００１１】
図１において、Ｂは、ボックスパレットであり、ボックスパレットＢは、パレット部材１と、相対する一方の側壁部材２と、相対するもう一方の側壁部材３とから構成されている。
【００１２】
図１及び図２に示されているように、パレット部材１は、パレット部材１の相対する一方の辺部に形成された土手部１ａと、パレット部材１の相対するもう一方の辺部に形成された土手部１ｂとを有している。そして、相対する一方の辺部に形成された土手部１ａは、相対するもう一方の辺部に形成された土手部１ｂより高く形成されている。以下、相対する一方の辺部に形成された土手部１ａを、高部土手部と称し、また、高部土手部１ａより低い、相対するもう一方の辺部に形成された土手部１ｂを、以下、低部土手部と称する。
【００１３】
パレット部材１の裏面１ｃの相対する辺部には、低部土手部１ｂに沿って、側部桁１ｄが形成されており、また、相対する側部桁１ｄの中間部には、側部桁１ｄに略平行な中間桁１ｅが形成されており、裏面１ｃと側部桁１ｄと中間桁１ｅとにより、２本のフォーク挿入口１ｆが形成されている。このように、本発明のボックスパレットＢは、所謂、２方差しのボックスパレットＢとして構成されている。勿論、所謂、４方差しのボックスパレットＢとして構成することもできる。
【００１４】
相対する一方の側壁部材２と相対するもう一方の側壁部材３とが、共に、略垂直に立てられた状態から、特許文献１に開示されているように、一方の側壁部材２を、高部土手部１ａから上方に引き抜き、次いで、低部土手部１ｂにヒンジ連結されたもう一方の側壁部材３を、パレット部材１に重なるように倒し、その後、引き抜かれた相対する一方の側壁部材２を、パレット部材１に重ねられた相対するもう一方の側壁部材３に重ねることにより、図１に示されている箱型に組み立てられたボックスパレットＢを、図２に示されているように、折り畳むことができるように構成されている。
【００１５】
なお、以下においては、箱型に組み立てられた状態のボックスパレットＢから引き抜かれる相対する一方の側壁部材２を、引き抜き側壁部材と称し、また、低部土手部１ｂにヒンジ連結されたもう一方の側壁部材３を、ヒンジ連結側壁部材と称する。
【００１６】
次に、図２、図４及び図５を用いて、本発明のボックスパレットＢを構成するパレット部材１について説明する。
【００１７】
中間桁１ｅは、低部土手部１ｂに沿った相対する長辺側壁１ｅ１と高部土手部１ａに沿った相対する短辺側壁１ｅ２と底板１ｅ３とから形成されている。また、長辺側壁１ｅ１と短辺側壁１ｅ２とにより形成される角部には、案内傾斜部１ｅ４が形成されており、このような案内傾斜部１ｅ４を形成することにより、フォーク挿入口１ｆへのフォークの挿入が容易となる。
【００１８】
側部桁１ｄは、低部土手部１ｂに沿った相対する長辺側壁１ｄ１と高部土手部１ａに沿った相対する短辺側壁１ｄ２と底板１ｄ３とから形成されている。また、上述した中間桁１ｅと同様に、側部桁１ｄの長辺側壁１ｄ１と短辺側壁１ｄ２とにより形成される角部には、案内傾斜部１ｄ４が形成されており、このような案内傾斜部１ｄ４を形成することにより、フォーク挿入口１ｆへのフォークの挿入が容易となる。案内傾斜部１ｄ４は、フォーク挿入口１ｆ側に位置する長辺側壁１ｄ１と短辺側壁１ｄ２とにより形成される角部付近に形成されている。
【００１９】
本発明においては、側部桁１ｄのフォーク挿入口１ｆ側に位置する長辺側壁１ｄ１と短辺側壁１ｄ２とにより形成される角部には、平面形状が、略Ｌ字状の補強台座部４が形成されている。このような略Ｌ字状の補強台座部４を形成することにより、側部桁１ｄのフォーク挿入口１ｆ側に位置する端部部分の強度や剛性を高めることができ、この端部部分に、フォークの先端部が当接した際の側部桁１ｄの損傷を防止することができる。
【００２０】
上述した補強台座部４は、短辺側壁１ｄ２に沿って形成された、平面形状が略方形状の方形状部分４ａと、側部桁１ｄのフォーク挿入口１ｆ側に位置する長辺側壁１ｄ１及び案内傾斜部１ｄ４に連接された、平面形状が略三角形状の三角形状部分４ｂとから構成されている。図４及び図５においては、補強台座部４を構成する方形状部分４ａと三角形状部分４ｂとの境界線が、点線Ｌ１として示されている。
【００２１】
側部桁１ｄに形成された案内傾斜部１ｄ４の肉厚は、案内傾斜部１ｄ４までの長辺側壁１ｄ１の略一定な肉厚Ｔ１から、短辺側壁１ｄ２に向かって、徐々に肉厚を厚くすることにより、側部桁１ｄの長辺側壁１ｄ１と短辺側壁１ｄ２とにより形成される角部には、案内傾斜部１ｄ４が形成されているので、案内傾斜部１ｄ４の強度や剛性を高めることができ、ひいては、端部部分に、フォークの先端部が当接した際の側部桁１ｄの損傷を、更に防止することができる。
【００２２】
側部桁１ｄの端部付近に位置する部分水平断面を含む側部桁１ｄの部分拡大斜視図である図５に示されているように、側部桁１ｄ内には、長辺側壁１ｄ１に平行なリブ１ｅ１と短辺側壁１ｄ２に平行なリブ１ｅ２とが形成されている。また、上述した補強台座部４を構成する三角形状部分４ｂの中央部付近には、相対する短辺側壁１ｄ２に平行なリブ１ｅ２間を連結するとともに、長辺側壁１ｄ１に平行な補強リブ１ｅ３が形成されている。このような補強リブ１ｅ３は、相対する短辺側壁１ｄ２に平行なリブ１ｅ２を越えて、３個以上のリブ１ｅ２を連結するように構成することもできる。このような補強リブ１ｅ３を形成することにより、側部桁１ｄのフォーク挿入口１ｆ側に位置する端部部分の強度や剛性を、より更に高めることができ、この端部部分に、フォークの先端部が当接した際の側部桁１ｄの損傷を、より更に防止することができる。
【符号の説明】
【００２３】
Ｂ・・・・・・・・・・・ボックスパレット
１・・・・・・・・・・・パレット部材
１ａ・・・・・・・・・・高部土手部
１ｂ・・・・・・・・・・低部土手部
１ｅ３・・・・・・・・・補強リブ
２・・・・・・・・・・・引き抜き側壁部材
３・・・・・・・・・・・先倒し側壁部材
４・・・・・・・・・・・補強台座部
４ａ・・・・・・・・・・方形状部分
４ｂ・・・・・・・・・・三角形状部分
【図１】
2014169099.tif 000003
【図２】
2014169099.tif 000004
【図３】
2014169099.tif 000005
【図４】
2014169099.tif 000006
【図５】
2014169099.tif 000007